(57)【要約】      （修正有）【課題】ペットが飼い主の手を借りずに、室内を行き来できるようにする。【解決手段】引き違い、又は１本引きの建具と方建ての間に上部板、下部板を立て上下にスライドさせ敷居鴨居の溝に入れ、金具で止める。下部板の扉は円柱で前後に振れるように押さえ、自由に開閉するようにした。【選択図】図２
0003104877.tif 000002
【実用新案登録請求の範囲】
【請求項１】
引き違い、又は１本引きの建具と方立て間に１を立て上下にスライドさせ鴨居敷居の溝にいれる。２の扉は自由に開閉し、ペットがそこを行き来できるという建具である。
【考案の詳細な説明】
【０００１】
【考案が解決しようとする課題】
ペットが室内を行き来するにあたり、飼い主が建具の開閉をしなければならないという問題を有していた。
【０００２】
【課題を解決するための手段】
建具を上下にスライドすることにより、部屋によって異なる開口寸法に建具を合わせられる。また、中に自由に開閉する扉をつけることにより、ペットが飼い主の手を借りずに室内を行き来できる。
【０００３】
【考案の効果】
１  飼い主が扉の開閉をしなくてすむ。
２  室内の空調に関しても、建具をはめ込むことにより、室温をある程度たもち、適度の換気もできる。
３  建具を現調してつくらなくてすむ。
【図面の簡単な説明】
【図１】正面から見た図である。
【図２】横から見た図であり建具をスライドさせ鴨居敷居にはめ込んだ図である。
【符号の説明】
１  全体図
２  ペット用扉
３  ビス金具
【図１】
0003104877.tif 000003
【図２】
0003104877.tif 000004
【手続補正書】
【提出日】平成15年6月18日(2003.6.18)
【手続補正１】
【補正対象書類名】明細書
【補正対象項目名】実用新案登録請求の範囲
【補正方法】変更
【補正の内容】
【実用新案登録請求の範囲】
【請求項１】
引き違い又は１本引きの建具と方立て間の鴨居敷居の溝に入れる建具（１）であり、上下スライド可能な上部板及び下部板からなり上記、下部板には自由に開閉可能なペット用扉（２）を備えた建具である。
なお、上下の板をスライドさせ固定するために、上部板には金具（３）を通す穴が３箇所空き、下部板には金具（３）を上下にスライドさせるための細長い開口が３箇所空けてある。上下の板を合わせて金具（３）を通し、絞めることにより建具（１）は固定され、緩めることによりスライドする。
ペット用扉（２）の自由な開閉は、ペット用扉（２）の上部と下部板に穴を貫通させ、そこに細い円柱（４）を通すことにより、自由な開閉を可能にした。
【考案の詳細な説明】
【０００１】
【考案が解決しようとする課題】
ペットが室内を行き来するにあたり、飼い主が扉の開閉をしなければならないという問題を有していた。
【０００２】
【課題を解決するための手段】
２枚板を合わせて上下にスライドすることにより、部屋によって異なる開口寸法に合わせられる。中に自由に開閉する扉をつけることにより、ペットが飼い主の手を借りずに室内をいききできる。
【０００３】
【考案の効果】
１  飼い主が扉の開閉をしなくてすむ。
２  室内の空調に関しても、建具をはめ込むことにより室温をある程度保ち、適度の換気もできる。
３  建具を現調して作らなくてすむ。
【図面の簡単な説明】
【図１】正面から見た図である。
【図２】横から見た図であり建具をスライドさせ鴨居敷居にはめ込んだ図である。
【符号の説明】
１  全体図
２  ペット用扉
３  ビス金具
４  円柱
【手続補正２】
【補正対象書類名】図面
【補正対象項目名】全図
【補正方法】変更
【補正の内容】
【図１】
0003104877.tif 000005
【図２】
0003104877.tif 000006
【手続補正書】
【提出日】平成15年10月17日(2003.10.17)
【手続補正１】
【補正対象書類名】明細書
【補正対象項目名】全文
【補正方法】変更
【補正の内容】
【実用新案登録請求の範囲】
【請求項１】引き違い又は１本引きの建具と方立て間の鴨居敷居の溝に入れる建具であり、上下スライド可能な上部板（１）及び下部板（２）からなる。下部板（２）には自由に開閉可能なペット用扉（３）を備えている。
上下の板（１）、（２）をスライドさせ固定するために、上部板（１）には金具（４）を通す穴が３カ所空き、下部板（２）には金具（４）を上下にスライドさせるための細長い開口が３カ所あけてある。上下の板（１）（２）を合わせて金具（４）を通し、（４）を絞めることにより、上下板（１）（２）は固定され、緩めることによりスライドする。
ペット用扉（３）の自由な開閉は、扉（３）の上部と下部板（２）に穴を貫通させ貫通させた穴に円柱（５）を通し固定させることにより、自由な開閉を可能にした。
【考案の詳細な説明】
【０００１】
【考案が解決しようとする課題】
ペットが室内を行き来するにあたり、飼い主が扉の開閉をしなければならないという問題を有していた。
【０００２】
【課題を解決するための手段】
２枚板を合わせて上下にスライドすることにより、部屋によって異なる開口寸法に合わせられる。中に自由に開閉する扉をつけることにより、ペットが飼い主のの手を借りずに室内を行き来できる。【０００３】
【考案の効果】
１  飼い主が扉の開閉をしなくてすむ。
２  室内の空調に関しても、建具をはめ込むことにより室温をある程度保ち、適度の換気もできる。
３  建具を現調して作らなくてすむ。
【図面の簡単な説明】
【図１】正面から見た図である。
【図２】横から見た図であり建具をスライドさせ鴨居敷居にはめ込んだ図である。
【符号の説明】
１    上部板
２    下部板
３    ペット用扉
４    金具
５    円柱


【手続補正２】
【補正対象書類名】図面
【補正対象項目名】全図
【補正方法】変更
【補正の内容】
【図１】
0003104877.tif 000007
【図２】
0003104877.tif 000008
【手続補正書】
【提出日】平成16年2月13日(2004.2.13)
【手続補正１】
【補正対象書類名】明細書
【補正対象項目名】全文
【補正方法】変更
【補正の内容】
【実用新案登録請求の範囲】
【請求項１】引き違い又は１本引きの建具と方立て間の鴨居敷居の溝に入れる建具〈１〉であり
（ａ）上部板▲１▼、▲１▼には金具▲３▼を通す穴があいている。
（ｂ）下部板▲２▼、▲２▼には金具▲３▼が上下にスライドするための開口がある。
（ｃ）下部板▲２▼、▲２▼にはペットが通るための扉▲４▼がつく。
（ｄ）扉▲４▼上部と下部板▲２▼に穴を貫通させ、貫通させた穴に円柱▲５▼を通すことにより、扉▲４▼の自由な開閉を可能にした。
以上からなる建具である。
【考案の詳細な説明】
【０００１】
【考案が解決しようとする課題】
ペットが室内を行き来するにあたり、飼い主が扉の開閉をしなければならないという問題を有していた。
【０００２】
【課題を解決するための手段】
２枚板を合わせて上下にスライドすることにより、部屋によって異なる開口寸法に合わせられる。中に自由に開閉する扉をつけることにより、ペットが飼い主のの手を借りずに室内を行き来できる。
【０００３】
【考案の効果】
１  飼い主が扉の開閉をしなくてすむ。
２  室内の空調に関しても、建具をはめ込むことにより室温をある程度保ち、適度の換気もできる。
３  建具を現調して作らなくてすむ。
【図面の簡単な説明】
【図１】
正面から見た図である。
【図２】
横から見た図であり建具をスライドさせ鴨居敷居にはめ込んだ図である。
【符号の説明】
〈１〉      建具全体
▲１▼      上部板
▲２▼      下部板
▲３▼      金具
▲４▼      ペット用扉
▲５▼      円柱


【手続補正２】
【補正対象書類名】図面
【補正対象項目名】全図
【補正方法】変更
【補正の内容】
【図１】
0003104877.tif 000009
【図２】
0003104877.tif 000010